(57)【要約】【課題】従来タイプより小型で高性能化を図りつつ、他の仕様や生産性に影響を与えることもなく、且つ、近年量産工程で大きな問題となる付着ゴミへの対応を解決することができる４枚構成の撮像レンズ。【解決手段】固体撮像素子の光電変換部に被写体像を結像させるための撮像レンズであって、物体側より順に、正の屈折力を有する第１レンズと、負の屈折力を有する第２レンズと、正の屈折力を有する第３レンズと、少なくとも１面が光軸との交点以外の位置に変曲点を持つ非球面であって負の屈折力を有する第４レンズとから構成され、前記第１レンズ、前記第２レンズ及び前記第４レンズは撮像面に対して固定され、第３レンズを光軸方向に移動させることによりフォーカシングを行い、以下の条件式を満足することを特徴とする。      ０．７＜ｆ３／ｆ＜１．３  但し、  ｆ３：前記第３レンズの焦点距離  ｆ：撮像レンズ全系の焦点距離【選択図】図３
2012068292.tif 000002
【特許請求の範囲】
【請求項１】
固体撮像素子の光電変換部に被写体像を結像させるための撮像レンズであって、
物体側より順に、正の屈折力を有する第１レンズと、負の屈折力を有する第２レンズと、正の屈折力を有する第３レンズと、少なくとも１面が光軸との交点以外の位置に変曲点を持つ非球面であって負の屈折力を有する第４レンズとから構成され、
前記第１レンズ、前記第２レンズ及び前記第４レンズは撮像面に対して固定され、第３レンズを光軸方向に移動させることによりフォーカシングを行い、以下の条件式を満足することを特徴とする撮像レンズ。
０．７＜ｆ３／ｆ＜１．３
但し、
ｆ３：前記第３レンズの焦点距離
ｆ：撮像レンズ全系の焦点距離
【請求項２】
以下の条件式を満足することを特徴とする請求項１に記載の撮像レンズ。
０．４＜ｄ２４／ｆ＜０．９
但し、
ｄ２４：前記第２レンズの像側面から前記第４レンズの物体側面までの光軸上の距離
ｆ：撮像レンズ全系の焦点距離
【請求項３】
以下の条件式を満足することを特徴とする請求項１又は請求項２に記載の撮像レンズ。
１．３＜ｆ１２／ｆ＜２．３
但し、
ｆ１２：前記第１レンズと前記第２レンズの合成焦点距離
ｆ：撮像レンズ全系の焦点距離
【請求項４】
前記第３レンズは両凸形状を有することを特徴とする請求項１〜３の何れか１項に記載の撮像レンズ。
【請求項５】
前記第１レンズはガラス材料で形成されていることを特徴とする請求項１〜４の何れか１項に記載の撮像レンズ。
【請求項６】
前記撮像レンズは全てプラスチック材料で形成されていることを特徴とする請求項１〜４の何れか１項に記載の撮像レンズ。
【請求項７】
請求項１〜６の何れか１項に記載の撮像レンズを備えたことを特徴とする撮像装置。
【請求項８】
請求項７に記載の撮像装置を備えたことを特徴とする携帯端末。
【発明の詳細な説明】
【技術分野】
【０００１】
本発明は、ＣＣＤ型イメージセンサ若しくはＣＭＯＳ型イメージセンサ等の固体撮像素子を用いた撮像装置に好適な小型の撮像レンズ、該撮像レンズを備えた撮像装置及び該撮像装置を備えた携帯端末に関する。
【背景技術】
【０００２】
近年、ＣＣＤ（Ｃｈａｒｇｅｄ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の固体撮像素子を用いた撮像装置の高性能化や小型化に伴い、撮像装置を備えた携帯電話や携帯情報端末が普及しつつある。また、これらの撮像装置に搭載される撮像レンズには、更なる高性能化や小型化への要求が高まっている。このような用途の撮像レンズとしては、３枚構成のレンズに比べ高性能化が可能であるということで、４枚構成の撮像レンズが提案されている。
【０００３】
さて、高機能な撮像装置ではオートフォーカス機能が搭載されるのが一般的である。しかしながら従来の構成では、３枚若しくは４枚のレンズ全体を繰り出す方式のため、駆動装置が大型化し、結果的にレンズユニット全体の小型化が図れなくなったり、駆動部を有する部分でゴミが発生し、そのゴミがレンズ面や固体撮像素子の受光面に付着して画質に影響を与えたり、駆動装置の偏芯誤差に伴って画質が低下したり、といった問題が顕在化するようになってきた。元来、高性能化と小型化は技術的に両立が難しい課題のため、これを克服するためには従来の全体繰り出しによるフォーカシング方式を抜本的に変更する必要がある。
【０００４】
この対策の一例として、撮像レンズの一部若しくは全体を繰り出す光学系を用い、第１レンズと第４レンズの外径差により生じた空間にアクチュエータを配置してコイルの巻線数の増大や長さの増大を図り、駆動力を高めると共に、コンパクトな構成にした撮像装置が知られている（特許文献１参照）。
【０００５】
また、４枚構成のレンズのうち第２レンズのみを繰り出してフォーカシングを行い、小型で高性能化した撮像レンズが知られている（特許文献２参照）。
【先行技術文献】
【特許文献】
【０００６】
【特許文献１】特開２００７−１０８５３４号公報
【特許文献２】特開２００８−７６９５３号公報
【発明の概要】
【発明が解決しようとする課題】
【０００７】
しかしながら、特許文献１，２の光学系は、何れもフォーカシング方式を変更した利点以上に光学系の負荷が増したために、光学全長が長く、誤差に対して非常に弱い構成になっている。また、画素サイズの小さい固体撮像素子においては高い解像力が要求されるが、特許文献１，２の光学系はＦ値がＦ３．３やＦ３．５と暗いため、充分な性能が得られないといった問題点を有している。
【０００８】
本発明はかかる問題に鑑みてなされたものであり、Ｆ値がＦ３．０よりも小さく、従来タイプより小型で高性能化を図りつつ、他の仕様や生産性に影響を与えることもなく、且つ、近年量産工程で大きな問題となる付着ゴミへの対応を解決することができる４枚構成の撮像レンズを提供することを目的とする。
【０００９】
ここで、小型の撮像レンズの尺度であるが、本発明では下式を満たすレベルの小型化を目指している。この範囲を満たすことで、撮像装置全体の小型軽量化が可能となる。
【００１０】
Ｌ／２Ｙ  ＜  ０．９５・・・（４）
但し、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。
【００１１】
なお、撮像レンズの最も像側の面と像側焦点位置との間に、光学的ローパスフィルタ、赤外線カットフィルタ若しくは固体撮像素子パッケージのシールガラス等の平行平板が配置される場合には、平行平板部分は空気換算距離としたうえでＬの値を計算するものとする。
【課題を解決するための手段】
【００１２】
上記目的は下記に記載した発明により達成される。
【００１３】
１．固体撮像素子の光電変換部に被写体像を結像させるための撮像レンズであって、
物体側より順に、正の屈折力を有する第１レンズと、負の屈折力を有する第２レンズと、正の屈折力を有する第３レンズと、少なくとも１面が光軸との交点以外の位置に変曲点を持つ非球面であって負の屈折力を有する第４レンズとから構成され、
前記第１レンズ、前記第２レンズ及び前記第４レンズは撮像面に対して固定され、第３レンズを光軸方向に移動させることによりフォーカシングを行い、以下の条件式を満足することを特徴とする撮像レンズ。
【００１４】
０．７＜ｆ３／ｆ＜１．３・・・（１）
但し、
ｆ３：前記第３レンズの焦点距離
ｆ：撮像レンズ全系の焦点距離
２．以下の条件式を満足することを特徴とする前記１に記載の撮像レンズ。
【００１５】
０．４＜ｄ２４／ｆ＜０．９・・・（２）
但し、
ｄ２４：前記第２レンズの像側面から前記第４レンズの物体側面までの光軸上の距離
ｆ：撮像レンズ全系の焦点距離
３．以下の条件式を満足することを特徴とする前記１又は前記２に記載の撮像レンズ。
【００１６】
１．３＜ｆ１２／ｆ＜２．３・・・（３）
但し、
ｆ１２：前記第１レンズと前記第２レンズの合成焦点距離
ｆ：撮像レンズ全系の焦点距離
４．前記第３レンズは両凸形状を有することを特徴とする前記１〜３の何れか１項に記載の撮像レンズ。
【００１７】
５．前記第１レンズはガラス材料で形成されていることを特徴とする前記１〜４の何れか１項に記載の撮像レンズ。
【００１８】
６．前記撮像レンズは全てプラスチック材料で形成されていることを特徴とする前記１〜４の何れか１項に記載の撮像レンズ。
【００１９】
７．前記１〜６の何れか１項に記載の撮像レンズを備えたことを特徴とする撮像装置。
【００２０】
８．前記７に記載の撮像装置を備えたことを特徴とする携帯端末。
【発明の効果】
【００２１】
・請求項１の効果
本発明の基本構成は、正の屈折力を有する第１レンズ、負の屈折力を有する第２レンズ、正の屈折力を有する第３レンズ、負の屈折力を有する第４レンズであり、これにより小型で収差の良好に補正された撮像レンズを得ることができる。また、物体側より順に、第１レンズ、第２レンズ及び第３レンズから成る正レンズ群と、負の第４レンズを配置した所謂テレフォトタイプのレンズ構成により撮像レンズ全長を小型化することができる。
【００２２】
更に、４枚構成のうち２枚を負レンズとすることで、発散作用を有する面を多くしてペッツバール和の補正を容易とし、画面周辺部まで良好な結像性能を確保した撮像レンズを得ることができる。
【００２３】
また、最も像側に配置された第４レンズの少なくとも１面を非球面とすることで、画面周辺部での諸収差を良好に補正することができる。更に、光軸との交点以外の位置に変曲点を有する非球面形状とすることで、像側光束のテレセントリック特性が確保し易くなる。
【００２４】
ここで、「変曲点」とは有効半径内でのレンズ断面形状の曲線において、非球面頂点の接平面が光軸と垂直な平面となるような非球面上の点のことである。
【００２５】
第１レンズ、第２レンズ及び第４レンズを固定し、第３レンズのみを駆動することで、球面収差や色収差、像面湾曲などを悪化させることなくフォーカシングを行うことができる。また、撮像レンズ全系を一体で繰り出す、所謂全体繰り出しに比べてフォーカシング移動量を削減できるため、アクチュエータの省スペース化が図れ、且つ全長が不変となるため、光学ユニットを超コンパクト化することができる。更に、レンズユニット内へのゴミの侵入を防止することができ、工程の廃止によるコストダウンや不良削減による環境負荷軽減も合わせて図ることができる。
【００２６】
条件式（１）はフォーカス群である第３レンズの焦点距離を適切に設定するための条件式である。条件式（１）の値が上限を下回ることで、フォーカス群の屈折力を適度に維持することができ、フォーカシング移動量を小さく抑えることができる。一方、下限を上回ることで、第３レンズと第４レンズの屈折力が強くなり過ぎず、フォーカシング時の収差変動を小さく抑えることができる。また、下式の条件式にすることがより望ましい。
【００２７】
０．８０＜ｆ３／ｆ＜１．１５
・請求項２の効果
条件式（２）はフォーカシング時に撮像面に対し固定された第２レンズと第４レンズの光軸上の距離を規定し、フォーカシング時のクリアランスを適切に設定するための条件式である。上限を下回ることで、フォーカシングストロークの増加に伴う撮像レンズ全長の増大を抑えることができる。一方、下限を上回ることで、適度にフォーカシング時のクリアランスを確保することができる。また、下式の条件式にすることがより望ましい。
【００２８】
０．５０＜ｄ２４／ｆ＜０．７５
・請求項３の効果
条件式（３）は第１レンズと第２レンズの合成焦点距離を適切に設定するための条件式である。上限を下回ることで、第１レンズと第２レンズの正の合成焦点距離を適度に維持することができるため、全系の主点位置をより物体側に配置することができ、撮像レンズ全長を短くすることができる。一方、下限を上回ることで、第１レンズと第２レンズの正の合成焦点距離が必要以上に小さくなり過ぎず、第１レンズや第２レンズで発生する高次の球面収差やコマ収差を小さく抑えることができ、第１レンズ及び第２レンズの個々の屈折力を適度に抑えることによって、製造誤差に対する像面変動を小さくすることができる。また、下式の条件式にすることがより望ましい。
【００２９】
１．３５＜ｆ１２／ｆ＜２．２０
・請求項４の効果
第３レンズを両凸形状とすることで、第２レンズと第３レンズの周辺部或いは第３レンズと第４レンズの周辺部が過度に接近することを避けることができ、フォーカシング時のクリアランスの確保が容易になる。
・請求項５の効果
比較的屈折力の強い第１レンズをガラス材料で形成することにより、撮像レンズ全系での温度変化時の像点移動位置を小さくしながらも、プラスチックレンズを第２レンズ、第３レンズ及び第４レンズに使用することで、撮像レンズ全体のコストを少なく抑えることができる。また、第１レンズをガラス材料で形成すると、プラスチックレンズを外部に露出させずに構成できるので、第１レンズへの傷等の問題を回避することができる。
・請求項６の効果
近年では、固体撮像装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的に短くする必要があるため、各レンズの曲率半径や外径がかなり小さくなってしまう。従って、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑えることができ、その結果、成形金型の交換回数やメンテナンス回数を減少させ、コスト低減を図ることができる。
・請求項７の効果
前述の請求項１〜６の効果の何れかの効果を奏する撮像装置を得ることができる。
・請求項８の効果
請求項７の効果を奏する携帯端末を得ることができる。
【図面の簡単な説明】
【００３０】
【図１】撮像装置の断面図である。
【図２】携帯電話機の外観図である。
【図３】実施例１のレンズの断面図である。
【図４】実施例１の収差図である。
【図５】実施例２のレンズの断面図である。
【図６】実施例２の収差図である。
【図７】実施例３のレンズの断面図である。
【図８】実施例３の収差図である。
【図９】実施例４のレンズの断面図である。
【図１０】実施例４の収差図である。
【図１１】実施例５のレンズの断面図である。
【図１２】実施例５の収差図である。
【図１３】実施例６のレンズの断面図である。
【図１４】実施例６の収差図である。
【図１５】実施例７のレンズの断面図である。
【図１６】実施例７の収差図である。
【発明を実施するための形態】
【００３１】
先ず、本発明の撮像レンズを備えた撮像装置の一例を図１の断面図を参照して説明する。
【００３２】
撮像レンズは物体側より順に、正の屈折力を有する第１レンズＬ１、負の屈折力を有する第２レンズＬ２、正の屈折力を有する第３レンズＬ３、及び負の屈折力を有する第４レンズＬ４から構成されている。第４レンズＬ４の後方には赤外カットフィルタである平行平板Ｆが配置され、その後方には撮像面Ｉを有する固定撮像素子ＩＳが配置されている。
【００３３】
なお、Ｆは必ずしも赤外カットフィルタである必要はなく、光学的ローパスフィルタや固定撮像素子ＩＳのシールガラス等であってもよい。
【００３４】
また、固定撮像素子ＩＳはＣＣＤ（Ｃｈａｒｇｅｄ  Ｃｏｕｐｌｅｄ  Ｄｅｖｉｃｅ）型イメージセンサ、若しくはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等である。
【００３５】
第１レンズＬ１、第２レンズＬ２、第４レンズＬ４、赤外カットフィルタＦ及び固定撮像素子ＩＳを保持するリジッドなプリント基板Ｐは鏡筒１１に装着されている。また、第３レンズＬ３は鏡枠１２に保持され、鏡枠１２はアクチュエータ１３により光軸Ｏに沿って移動する。即ち、撮像装置の外部よりアクチュエータ１３を駆動し、鏡枠１２と共に第３レンズＬ３を移動させてフォーカシングを行う。そして、絞りＳとなる開口部を有する化粧枠１４にて鏡筒１１を被覆している。
【００３６】
なお、本撮像装置においては、中間に位置する第３レンズＬ３を移動させてフォーカシングを行うので、アクチュエータ１３より塵埃が発生したとしても、その塵埃は第４レンズＬ４に遮られて撮像面Ｉの方に移動することがない。
【００３７】
また、アクチュエータ１３として、ソレノイドや圧電素子等を用いることができる。
【００３８】
次に、この撮像装置を備えた携帯端末の一例としての携帯電話機を図２の外観図に基づいて説明する。なお、図２（Ａ）は折り畳んだ携帯電話機を開いて内側から見た図であり、図２（Ｂ）は折り畳んだ携帯電話機を開いて外側から見た図である。
【００３９】
図２において、携帯電話機Ｔは、表示画面Ｄ１，Ｄ２を備えたケースとしての上筐体１０１と、操作ボタンＢを備えた下筐体１０２とがヒンジ１０３を介して連結されている。撮像装置は、上筐体１０１内の表示画面Ｄ２の下方に内蔵されていて、上筐体１０１の外表面に第１レンズＬ１が露出している。
【００４０】
なお、この撮像装置の位置は上筐体１０１内の表示画面Ｄ２の上方や側面に配置してもよい。また、携帯電話機Ｔは折り畳み式に限定されるものではない。
【実施例】
【００４１】
以下に本発明の撮像レンズの実施例を示す。各実施例に使用する記号は下記の通りである。
【００４２】
ｆ：撮像レンズ全系の焦点距離
ｆＢ：バックフォーカス
Ｆ：Ｆナンバー
２Ｙ：固体撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１：前側主点位置（第１面から前側主点位置までの距離）
Ｈ２：後側主点位置（最終面から後側主点位置までの距離）
Ｒ：曲率半径
Ｄ：軸上面間隔
Ｎｄ：レンズ材料のｄ線に対する屈折率
νｄ：レンズ材料のアッベ数
各実施例において、各面番号の後に（＊）が記載されている面は非球面形状を有する面であり、非球面の形状は、面の頂点を原点とし、光軸方向をＸ軸とし、光軸と垂直方向の高さをｈとして以下の数１で表す。
【００４３】
【数１】
2012068292.tif 000003
【００４４】
但し、
Ａｉ：ｉ次の非球面係数
Ｋ：円錐定数
なお、請求項ならびに実施例に記載の近軸曲率半径の意味合いについて、実際のレンズ測定の場面においては、レンズ中央近傍（具体的には、レンズ外径に対して１０％以内の中央領域）での形状測定値を最小二乗法でフィッティングした際の近似曲率半径を近軸曲率半径であるとみなすことができる。
【００４５】
また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと。
【００４６】
また、非球面係数においは１０のべき乗数（例えば２．５×１０−０２）をＥ（例えば２．５Ｅ−０２）を用いて表す。
［実施例１］
撮像レンズの全体諸元を以下に示す。
ｆ＝４．０９ｍｍ
ｆＢ＝０．３６ｍｍ
Ｆ＝２．４
２Ｙ＝５．７１２ｍｍ
ＥＮＴＰ＝０ｍｍ
ＥＸＴＰ＝−３．０２ｍｍ
Ｈ１＝−０．８６ｍｍ
Ｈ２＝−３．７２ｍｍ
撮像レンズの面データを以下に示す。
面番号        Ｒ(mm)        Ｄ(mm)        Ｎｄ        νｄ        有効半径(mm)
１(絞り)        ∞           0.00                                    0.85
２(＊)        2.063          0.59       1.54470       56.2           1.01
３(＊)      -13.004          0.05                                    1.03
４(＊)        2.569          0.29       1.63200       23.4           1.07
５(＊)        1.324          0.96                                    1.08
６(＊)       79.139          0.90       1.54470       56.2           1.69
７(＊)       -2.581          0.59                                    1.77
８(＊)        1.758          0.51       1.54470       56.2           2.11
９(＊)        1.032          0.70                                    2.48
10              ∞           0.15       1.51630       64.1           2.69
11              ∞                                                   2.73
非球面係数を以下に示す。
第２面
K=0.35079E+00,A4=0.54384E-02,A6=-0.93758E-02,A8=0.67299E-02,A10=0.33136E-02
第３面
K=0.72675E+01,A4=0.45938E-01,A6=-0.70962E-01,A8=0.91426E-01,A10=-0.24161E-01
第４面
K=-0.74930E+01,A4=-0.44538E-01,A6=-0.41307E-01,A8=0.75935E-01,A10=-0.86915E-03,A12=-0.15540E-01
第５面
K=-0.29139E+01,A4=-0.17640E-01,A6=0.26285E-01,A8=-0.25742E-01,A10=0.45900E-01,A12=-0.19641E-01
第６面
K=-0.68981E+04,A4=0.20614E-01,A6=-0.15379E-01,A8=0.12847E-01,A10=-0.40650E-02,A12=0.46243E-03
第７面
K=-0.57775E+01,A4=-0.66796E-01,A6=0.56108E-01,A8=-0.35663E-01,A10=0.16470E-01,A12=-0.32403E-02,A14=0.48988E-04,A16=0.38618E-04
第８面
K=-0.92343E+01,A4=-0.13915E+00,A6=0.32207E-01,A8=-0.29637E-02,A10=0.55955E-03,A12=-0.15757E-03,A14=0.14149E-04
第９面
K=-0.39719E+01,A4=-0.86033E-01,A6=0.28001E-01,A8=-0.74526E-02,A10=0.13072E-02,A12=-0.12455E-03,A14=0.47834E-05
単レンズデータを以下に示す。
レンズ          始面          焦点距離(mm)
１             ２              3.315
２             ４             -4.747
３             ６              4.606
４             ８             -6.104
条件式（１）〜（４）に対応する値を以下に示す。
（１）ｆ３／ｆ＝１．１３
（２）ｄ２４／ｆ＝０．６０
（３）ｆ１２／ｆ＝１．７４
（４）Ｌ／２Ｙ＝０．８９
なお、本撮像レンズを構成する全てのレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００４７】
図３は実施例１のレンズの断面図、図４は実施例１の収差図（球面収差、非点収差、歪曲収差、メリディオナルコマ収差）である。
［実施例２］
撮像レンズの全体諸元を以下に示す。
ｆ＝４．０９ｍｍ
ｆＢ＝０．１ｍｍ
Ｆ＝２．４
２Ｙ＝５．７１２ｍｍ
ＥＮＴＰ＝０ｍｍ
ＥＸＴＰ＝−２．６３ｍｍ
Ｈ１＝−２．０２ｍｍ
Ｈ２＝−３．９９ｍｍ
撮像レンズの面データを以下に示す。
面番号        Ｒ(mm)        Ｄ(mm)        Ｎｄ        νｄ        有効半径(mm)
１(絞り)        ∞          -0.18                                    0.85
２(＊)        1.752          0.52       1.54470       56.2           0.86
３(＊)      124.728          0.05                                    0.88
４(＊)        2.624          0.25       1.63200       23.4           0.89
５(＊)        1.385          0.94                                    0.92
６(＊)       50.664          0.82       1.54470       56.2           1.57
７(＊)       -2.598          0.87                                    1.64
８(＊)        2.205          0.45       1.54470       56.2           1.95
９(＊)        1.031          0.70                                    2.44
10              ∞           0.15       1.51630       64.1           2.79
11              ∞                                                   2.83
非球面係数を以下に示す。
第２面
K=0.44852E+00,A4=0.69148E-02,A6=0.40476E-02,A8=-0.18520E-02,A10=0.12418E-01
第３面
K=0.27403E+02,A4=0.43351E-01,A6=-0.69501E-01,A8=0.70380E-01,A10=-0.15394E-01
第４面
K=-0.10206E+02,A4=-0.32217E-01,A6=-0.80421E-01,A8=0.45459E-01,A10=0.23783E-01,A12=-0.27124E-01
第５面
K=-0.20509E+01,A4=-0.39013E-01,A6=0.26134E-01,A8=-0.34007E-02,A10=0.31606E-02,A12=0.12880E-01
第６面
K=-0.68488E+04,A4=0.63508E-02,A6=-0.71738E-02,A8=0.12038E-01,A10=-0.39758E-02,A12=0.44430E-03
第７面
K=-0.70261E+01,A4=-0.76012E-01,A6=0.52926E-01,A8=-0.32966E-01,A10=0.17088E-01,A12=-0.33712E-02,A14=-0.33162E-04,A16=0.55725E-04
第８面
K=-0.22689E+02,A4=-0.21028E+00,A6=0.60558E-01,A8=-0.61466E-02,A10=0.21257E-03,A12=-0.95414E-04,A14=0.15512E-04
第９面
K=-0.57503E+01,A4=-0.91661E-01,A6=0.28702E-01,A8=-0.72905E-02,A10=0.12980E-02,A12=-0.13201E-03,A14=0.54301E-05
単レンズデータを以下に示す。
レンズ          始面          焦点距離(mm)
１             ２              3.257
２             ４             -5.035
３             ６              4.562
４             ８             -4.107
条件式（１）〜（４）に対応する値を以下に示す。
（１）  ｆ３／ｆ＝１．１２
（２）  ｄ２４／ｆ＝０．６４
（３）  ｆ１２／ｆ＝１．５９
（４）  Ｌ／２Ｙ＝０．８４
なお、本撮像レンズを構成する全てのレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００４８】
図５は実施例２のレンズの断面図、図６は実施例２の収差図（球面収差、非点収差、歪曲収差、メリディオナルコマ収差）である。
［実施例３］
撮像レンズの全体諸元を以下に示す。
ｆ＝３．７７ｍｍ
ｆＢ＝０．１１ｍｍ
Ｆ＝２．４
２Ｙ＝５．７１２ｍｍ
ＥＮＴＰ＝０ｍｍ
ＥＸＴＰ＝−２．７２ｍｍ
Ｈ１＝−１．２６ｍｍ
Ｈ２＝−３．６７ｍｍ
撮像レンズの面データを以下に示す。
面番号        Ｒ(mm)        Ｄ(mm)        Ｎｄ        νｄ        有効半径(mm)
１(絞り)        ∞          -0.01                                    0.79
２(＊)        2.023          0.52       1.54470       56.2           0.90
３(＊)      -11.996          0.05                                    0.94
４(＊)        3.610          0.30       1.63200       23.4           0.98
５(＊)        1.553          0.76                                    1.02
６(＊)       18.212          1.00       1.54470       56.2           1.56
７(＊)       -2.277          0.76                                    1.63
８(＊)        2.240          0.51       1.54470       56.2           1.94
９(＊)        1.023          0.70                                    2.47
10              ∞           0.15       1.51630       64.1           2.76
11              ∞                                                   2.80
非球面係数を以下に示す。
第２面
K=0.37054E+00,A4=0.45756E-02,A6=-0.69641E-02,A8=0.38078E-02,A10=0.57746E-02
第３面
K=0.50000E+02,A4=0.36307E-01,A6=-0.69912E-01,A8=0.99844E-01,A10=-0.21206E-01
第４面
K=-0.16347E+02,A4=-0.51840E-01,A6=-0.44246E-01,A8=0.79994E-01,A10=0.13968E-01,A12=-0.25096E-01
第５面
K=-0.32094E+01,A4=-0.24486E-01,A6=0.30559E-01,A8=-0.22070E-01,A10=0.39664E-01,A12=-0.17522E-01
第６面
K=-0.74520E+03,A4=0.20055E-01,A6=-0.14404E-01,A8=0.13239E-01,A10=-0.37760E-02,A12=0.40423E-03
第７面
K=-0.51737E+01,A4=-0.74022E-01,A6=0.54898E-01,A8=-0.35431E-01,A10=0.16863E-01,A12=-0.31060E-02,A14=0.52106E-04,A16=0.30545E-04
第８面
K=-0.21709E+02,A4=-0.17357E+00,A6=0.41852E-01,A8=-0.28842E-02,A10=0.28192E-03,A12=-0.17118E-03,A14=0.21952E-04
第９面
K=-0.48743E+01,A4=-0.78801E-01,A6=0.26145E-01,A8=-0.71061E-02,A10=0.12424E-02,A12=-0.11643E-03,A14=0.43443E-05
単レンズデータを以下に示す。
レンズ          始面          焦点距離(mm)
１             ２              3.221
２             ４             -4.573
３             ６              3.781
４             ８             -4.052
条件式（１）〜（４）に対応する値を以下に示す。
（１）  ｆ３／ｆ＝１．００
（２）  ｄ２４／ｆ＝０．６７
（３）  ｆ１２／ｆ＝１．９２
（４）  Ｌ／２Ｙ＝０．８４
なお、本撮像レンズを構成する全てのレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００４９】
図７は実施例３のレンズの断面図、図８は実施例３の収差図（球面収差、非点収差、歪曲収差、メリディオナルコマ収差）である。
［実施例４］
撮像レンズの全体諸元を以下に示す。
ｆ＝３．７９ｍｍ
ｆＢ＝０．１１ｍｍ
Ｆ＝２．４
２Ｙ＝５．７１２ｍｍ
ＥＮＴＰ＝０ｍｍ
ＥＸＴＰ＝−２．９２ｍｍ
Ｈ１＝−０．９５ｍｍ
Ｈ２＝−３．６８ｍｍ
撮像レンズの面データを以下に示す。
面番号        Ｒ(mm)        Ｄ(mm)        Ｎｄ        νｄ        有効半径(mm)
１(絞り)        ∞          -0.07                                    0.79
２(＊)        2.399          0.48       1.54470       56.2           0.82
３(＊)      -10.927          0.05                                    0.88
４(＊)        2.965          0.30       1.63200       23.4           0.95
５(＊)        1.505          0.91                                    1.01
６(＊)        8.548          1.28       1.54470       56.2           1.83
７(＊)       -2.007          0.60                                    1.89
８(＊)        5.282          0.65       1.58300       30.0           1.99
９(＊)        1.354          0.70                                    2.70
10              ∞           0.15       1.51630       64.1           2.91
11              ∞                                                   2.95
非球面係数を以下に示す。
第２面
K=0.59191E+00,A4=0.87759E-02,A6=-0.20149E-02,A8=-0.78992E-03,A10=0.12823E-01
第３面
K=-0.31205E+02,A4=0.53949E-01,A6=-0.83260E-01,A8=0.94894E-01,A10=-0.71105E-02
第４面
K=-0.10813E+02,A4=-0.34483E-01,A6=-0.49889E-01,A8=0.61982E-01,A10=0.13144E-01,A12=-0.12016E-01
第５面
K=-0.32243E+01,A4=-0.35285E-01,A6=0.28685E-01,A8=-0.25608E-01,A10=0.27856E-01,A12=-0.68657E-02
第６面
K=-0.80790E+02,A4=0.22084E-01,A6=-0.16727E-01,A8=0.12167E-01,A10=-0.38208E-02,A12=0.42880E-03
第７面
K=-0.62607E+01,A4=-0.85469E-01,A6=0.57783E-01,A8=-0.36895E-01,A10=0.16293E-01,A12=-0.31319E-02,A14=0.65734E-04,A16=0.31030E-04
第８面
K=-0.68457E+01,A4=-0.16160E+00,A6=0.35989E-01,A8=-0.18806E-02,A10=0.44076E-03,A12=-0.26023E-03,A14=0.24664E-04
第９面
K=-0.31851E+01,A4=-0.93809E-01,A6=0.34345E-01,A8=-0.85435E-02,A10=0.13342E-02,A12=-0.11313E-03,A14=0.38571E-05
単レンズデータを以下に示す。
レンズ          始面          焦点距離(mm)
１             ２              3.658
２             ４             -5.252
３             ６              3.118
４             ８             -3.324
条件式（１）〜（４）に対応する値を以下に示す。
（１）  ｆ３／ｆ＝０．８２
（２）  ｄ２４／ｆ＝０．７４
（３）  ｆ１２／ｆ＝２．２０
（４）  Ｌ／２Ｙ＝０．９１
なお、本撮像レンズを構成する全てのレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００５０】
図９は実施例４のレンズの断面図、図１０は実施例４の収差図（球面収差、非点収差、歪曲収差、メリディオナルコマ収差）である。
［実施例５］
撮像レンズの全体諸元を以下に示す。
ｆ＝３．８３ｍｍ
ｆＢ＝０．３ｍｍ
Ｆ＝２．８
２Ｙ＝５．９６ｍｍ
ＥＮＴＰ＝０ｍｍ
ＥＸＴＰ＝−３．２９ｍｍ
Ｈ１＝−０．２６ｍｍ
Ｈ２＝−３．５３ｍｍ
撮像レンズの面データを以下に示す。
面番号        Ｒ(mm)        Ｄ(mm)        Ｎｄ        νｄ        有効半径(mm)
１(絞り)        ∞           0.05                                    0.68
２(＊)        3.182          0.67       1.54470       56.2           0.82
３(＊)       -2.913          0.05                                    0.95
４(＊)        3.967          0.30       1.63200       23.4           1.03
５(＊)        1.575          0.88                                    1.05
６(＊)       -9.756          1.02       1.54470       56.2           1.37
７(＊)       -1.928          0.44                                    1.66
８(＊)        1.186          0.40       1.54470       56.2           2.16
９(＊)        0.750          0.80                                    2.60
10              ∞           0.30       1.51630       64.1           2.79
11              ∞                                                   2.86
非球面係数を以下に示す。
第２面
K=-0.45758E+01,A4=-0.28424E-01,A6=-0.39239E-01,A8=-0.12479E-01,A10=0.14456E-01,A12=-0.21717E-01
第３面
K=-0.74241E+00,A4=-0.27292E-01,A6=-0.76425E-02,A8=-0.18638E-01,A10=0.10818E-01,A12=-0.97311E-02
第４面
K=-0.14695E+02,A4=-0.59815E-01,A6=0.73392E-01,A8=-0.26102E-02,A10=-0.13526E-01,A12=0.42023E-02
第５面
K=-0.52113E+01,A4=0.26371E-01,A6=0.46057E-02,A8=0.11422E-01,A10=-0.32746E-02,A12=-0.51200E-03
第６面
K=0.30000E+02,A4=0.30411E-01,A6=-0.38860E-01,A8=0.15273E-01,A10=-0.24488E-02,A12=-0.54631E-03
第７面
K=-0.99516E+00,A4=0.14879E-02,A6=0.11480E-01,A8=-0.15562E-01,A10=0.62762E-02,A12=-0.96329E-03
第８面
K=-0.44069E+01,A4=-0.13395E+00,A6=0.32661E-01,A8=-0.51361E-02,A10=0.71764E-03,A12=-0.55404E-04
第９面
K=-0.27724E+01,A4=-0.94378E-01,A6=0.29651E-01,A8=-0.60688E-02,A10=0.68145E-03,A12=-0.31543E-04
単レンズデータを以下に示す。
レンズ          始面          焦点距離(mm)
１             ２              2.904
２             ４             -4.344
３             ６              4.217
４             ８             -5.529
条件式（１）〜（４）に対応する値を以下に示す。
（１）  ｆ３／ｆ＝１．１０
（２）  ｄ２４／ｆ＝０．６１
（３）  ｆ１２／ｆ＝１．６３
（４）  Ｌ／２Ｙ＝０．８５
なお、本撮像レンズを構成する全てのレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００５１】
図１１は実施例５のレンズの断面図、図１２は実施例５の収差図（球面収差、非点収差、歪曲収差、メリディオナルコマ収差）である。
［実施例６］
撮像レンズの全体諸元を以下に示す。
ｆ＝３．９６ｍｍ
ｆＢ＝０．２５ｍｍ
Ｆ＝２．８
２Ｙ＝５．９６ｍｍ
ＥＮＴＰ＝０ｍｍ
ＥＸＴＰ＝−２．８７ｍｍ
Ｈ１＝−１．０８ｍｍ
Ｈ２＝−３．７１ｍｍ
撮像レンズの面データを以下に示す。
面番号        Ｒ(mm)        Ｄ(mm)        Ｎｄ        νｄ        有効半径(mm)
１(絞り)        ∞           0.00                                    0.71
２(＊)        3.898          0.77       1.49700       81.6           0.74
３(＊)       -2.524          0.64                                    0.94
４(＊)       -1.163          0.30       1.63200       23.4           1.12
５(＊)       -1.733          0.52                                    1.19
６(＊)       14.168          1.08       1.54470       56.2           1.46
７(＊)       -2.129          0.40                                    1.67
８(＊)        5.902          0.45       1.54470       56.2           1.79
９(＊)        1.161          0.59                                    2.50
10              ∞           0.30       1.51600       64.1           2.79
11              ∞                                                   2.87
非球面係数を以下に示す。
第２面
K=-0.57280E+01,A4=-0.58462E-01,A6=-0.98713E-02,A8=-0.14260E+00,A10=0.23855E+00,A12=-0.24086E+00,A14=0.84941E-01
第３面
K=0.38463E+01,A4=-0.53699E-01,A6=0.29418E-01,A8=-0.79605E-01,A10=0.15850E+00,A12=-0.14738E+00,A14=0.56192E-01
第４面
K=-0.33413E+01,A4=-0.12915E+00,A6=0.39888E+00,A8=-0.36717E+00,A10=0.21473E+00,A12=-0.74718E-01,A14=0.12071E-01
第５面
K=-0.17023E+02,A4=-0.32680E+00,A6=0.93412E+00,A8=-0.14471E+01,A10=0.16513E+01,A12=-0.12860E+01,A14=0.62272E+00,A16=-0.16332E+00
第６面
K=0.69766E+01,A4=-0.58809E-01,A6=0.54584E-01,A8=-0.51044E-01,A10=0.22469E-01,A12=-0.54223E-02,A14=0.53021E-03
第７面
A4=0.10747E-01,A6=-0.20621E-02,A8=-0.28274E-02,A10=0.12984E-02,A12=-0.46925E-03,A14=0.10462E-03
第８面
K=-0.19610E+03,A4=-0.18946E+00,A6=0.51005E-01,A8=-0.66501E-02,A10=-0.15519E-02,A12=0.10531E-02,A14=-0.16313E-03
第９面
K=-0.47431E+01,A4=-0.88521E-01,A6=0.32516E-01,A8=-0.88001E-02,A10=0.14910E-02,A12=-0.14098E-03,A14=0.54495E-05
単レンズデータを以下に示す。
レンズ          始面          焦点距離(mm)
１             ２              3.211
２             ４             -7.033
３             ６              3.479
条件式（１）〜（４）に対応する値を以下に示す。
（１）  ｆ３／ｆ＝０．８８
（２）  ｄ２４／ｆ＝０．５０
（３）  ｆ１２／ｆ＝１．３６
（４）  Ｌ／２Ｙ＝０．８７
なお、第１レンズＬ１はガラスモールドレンズ、それ以外のレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００５２】
図１３は実施例６のレンズの断面図、図１４は実施例６の収差図（球面収差、非点収差、歪曲収差、メリディオナルコマ収差）である。
［実施例７］
撮像レンズの全体諸元を以下に示す。
ｆ＝４．０４ｍｍ
ｆＢ＝０．３３ｍｍ
Ｆ＝２．８８
２Ｙ＝５．７１２ｍｍ
ＥＮＴＰ＝０ｍｍ
ＥＸＴＰ＝−３．０５ｍｍ
Ｈ１＝−０．７９ｍｍ
Ｈ２＝−３．７１ｍｍ
撮像レンズの面データを以下に示す。
面番号        Ｒ(mm)        Ｄ(mm)        Ｎｄ        νｄ        有効半径(mm)
１(絞り)        ∞           0.00                                    0.70
２(＊)        2.166          0.67       1.54470       56.2           0.82
３(＊)       -9.662          0.05                                    0.91
４(＊)        3.369          0.30       1.63200       23.4           0.97
５(＊)        1.504          0.81                                    1.03
６(＊)       88.347          0.96       1.54470       56.2           1.68
７(＊)       -2.435          0.56                                    1.74
８(＊)        1.709          0.53       1.54470       56.2           2.07
９(＊)        0.997          0.70                                    2.52
10              ∞           0.30       1.51630       64.1           2.73
11              ∞                                                   2.83
非球面係数を以下に示す。
第２面
K=0.30304E+00,A4=0.10051E-02,A6=-0.88779E-03,A8=-0.23670E-02,A10=0.56888E-02
第３面
K=0.28128E+02,A4=0.39928E-01,A6=-0.40265E-01,A8=0.10559E+00,A10=-0.58458E-01
第４面
K=-0.19261E+02,A4=-0.33015E-01,A6=-0.23680E-01,A8=0.86145E-01,A10=-0.41031E-02,A12=-0.33236E-01
第５面
K=-0.36779E+01,A4=-0.13736E-01,A6=0.26633E-01,A8=-0.25386E-01,A10=0.51478E-01,A12=-0.27594E-01
第６面
K=0.23252E+02,A4=0.28991E-01,A6=-0.16340E-01,A8=0.12472E-01,A10=-0.43172E-02,A12=0.59190E-03
第７面
K=-0.82051E+01,A4=-0.80791E-01,A6=0.64742E-01,A8=-0.36155E-01,A10=0.15863E-01,A12=-0.32747E-02,A14=0.77253E-04,A16=0.44690E-04
第８面
K=-0.73049E+01,A4=-0.13561E+00,A6=0.29873E-01,A8=-0.25393E-02,A10=0.52932E-03,A12=-0.19210E-03,A14=0.20635E-04
第９面
K=-0.34495E+01,A4=-0.88150E-01,A6=0.29371E-01,A8=-0.74753E-02,A10=0.12352E-02,A12=-0.11410E-03,A14=0.43445E-05
単レンズデータを以下に示す。
レンズ          始面          焦点距離(mm)
１             ２              3.314
２             ４             -4.587
３             ６              4.367
４             ８             -5.943
条件式（１）〜（４）に対応する値を以下に示す。
（１）  ｆ３／ｆ＝１．０８
（２）  ｄ２４／ｆ＝０．５８
（３）  ｆ１２／ｆ＝１．８５
（４）  Ｌ／２Ｙ＝０．８９
なお、本撮像レンズを構成する全てのレンズはプラスチック材料から形成されており、第１レンズＬ１、第２レンズＬ２及び第４レンズＬ４は撮像面Ｉに対して固定され、第３レンズＬ３を光軸方向に移動させることによりフォーカシングを行う。
【００５３】
図１５は実施例７のレンズの断面図、図１６は実施例７の収差図（球面収差、非点収差、歪曲収差、メリディオナルコマ収差）である。
【００５４】
ここで、プラスチック材料は温度変化時の屈折率変化が大きいため、第１レンズＬ１から第４レンズＬ４の全てをプラスチックレンズで構成すると、周囲温度が変化した際に、撮像レンズ全系の像点位置が変動してしまうという問題をかかえてしまう。
【００５５】
そこで、最近ではプラスチック材料中に無機微粒子を混合させ、プラスチック材料の温度変化を小さくできることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消しあうように作用させることにより、屈折率変化が殆ど生じないようにすることができる。具体的には、母材となるプラスチック材料に最大長が２０ナノメートル以下の無機粒子を分散させることにより、屈折率の温度依存性の極めて低いプラスチック材料となる。例えばアクリルに酸化ニオブ（Ｎｂ２Ｏ５）の微粒子を分散させることで、温度変化による屈折率変化を小さくすることができる。本発明において、比較的屈折力の大きな正レンズ（Ｌ１）、またはすべてのレンズ（Ｌ１〜Ｌ４）に、このような無機粒子を分散させたプラスチック材料を用いることにより、撮像レンズ全系の温度変化時の像点位置変動を小さく抑えることが可能となる。
【００５６】
また、近年撮像装置を低コストに且つ大量に実装する方法として、予め半田がポッティングされた基板に対し、ＩＣチップその他の電子部品と光学素子とを載置したままリフロー処理（加熱処理）し、半田を溶融させることにより電子部品と光学素子とを基板に同時実装するという技術が提案されている。
【００５７】
このようなリフロー処理を用いて実装を行うためには、電子部品と共に光学素子を約２００〜２６０度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。
【００５８】
そこで、撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造し易く安価となり、撮像レンズを組み込んだ撮像装置の低コストと量産性を両立できる。なお、エネルギー硬化性樹脂とは、熱硬化性樹脂および紫外線硬化性樹脂のいずれをも指すものとする。
【００５９】
また、本発明のプラスチックレンズを前述のエネルギー硬化性樹脂も用いて形成してもよい。
【００６０】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にゆくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【符号の説明】
【００６１】
Ｌ１  第１レンズ
Ｌ２  第２レンズ
Ｌ３  第３レンズ
Ｓ  絞り
Ｆ  平行平板
Ｉ  撮像面
【図１】
2012068292.tif 000004
【図２】
2012068292.tif 000005
【図３】
2012068292.tif 000006
【図４】
2012068292.tif 000007
【図５】
2012068292.tif 000008
【図６】
2012068292.tif 000009
【図７】
2012068292.tif 000010
【図８】
2012068292.tif 000011
【図９】
2012068292.tif 000012
【図１０】
2012068292.tif 000013
【図１１】
2012068292.tif 000014
【図１２】
2012068292.tif 000015
【図１３】
2012068292.tif 000016
【図１４】
2012068292.tif 000017
【図１５】
2012068292.tif 000018
【図１６】
2012068292.tif 000019